Podtech/llm-jp-corpus-v4-ja_patent huggingface dataset:
(57)【要約】      （修正有）【課題】各種のスプレー缶の穴開けが本器の上に置いて軽く足で踏むだけで穴開けが簡単できれいに出来るスプレー缶穴開け器を提供する。【解決手段】本体はＭ字形のようになっており片隅の下部には穴があいている、その下にはＭ字形の開き止め底板があり中心部に穴があいている、この穴に先端部が鋭く尖った軸が圧入されていて、器具上部にはストッパーが付いている、このような仕組みで構成されている。【選択図】図−２
0003110846.tif 000002
【実用新案登録請求の範囲】
【請求項１】
本製品は本体はＭ字形のようになっており片隅の下部には穴があいている、その下にはＭ字形の開き止め底板があり中心部に穴があいている、この穴に先端部が鋭く尖った軸が圧入されていて、器具上部にはストッパーが付いている、このような仕組みで構成されている  即ちこれをスプレー缶穴開け器という。
物件名  要約書
要約
各種のスプレー缶の穴開けが本器の上に置いて軽く足で踏むだけで穴開けが簡単できれいに出来るのが特徴である。
選択図
図−１
【考案の詳細な説明】
【考案の詳細な説明】
【０００１】本考案は廃棄物になったスプレー缶に穴を開けるために開発したスプレー缶の穴開け器である。
【背景技術】
【０００２】従来のものは手動式又は足踏み式であるがどの方式も穴を開けることは可能であるが内容物が周囲に飛び散って仕舞うのが欠点であった。
【考案が解決しようとする課題】
【０００３】解決するためには穴を開けると同時にスプレー缶に残ったガスと内容物を同時に一定方向に噴射できることである。
【０００４】図−２の分解図のように先端部が鋭く尖り  しかも一定方向に溝が切ってありＭ字形になった箇所に缶を置き足で踏むことにより、同時にガスや内容物が一定方向に抜ける仕組みである。
【符号の説明】
１．軸    ２．Ｍ字形本体    ３．ストッパー    ４．底板前部    ５．底板後部    ６．軸受け穴
【課題】
【解決手段】
上記の通り、スプレー缶に穴を開けるのが簡単に出来るのが、この解決手段である。
【図−１】
0003110846.tif 000003
【図−２】
0003110846.tif 000004
【手続補正書】
【提出日】平成16年10月12日(2004.10.12)
【手続補正１】
【補正対象書類名】実用新案登録請求の範囲
【補正対象項目名】全文
【補正方法】変更
【補正の内容】
【実用新案登録請求の範囲】
【請求項１】
本体はＭ字形のようになっており片隅の下部には穴があいている、その下にはＭ字形本体の開き止めようの底板があり中心部には穴があいている  その先端部には鋭く尖った軸が圧入されていてＭ字形本体の上部にはストッパーがついている構造で成り立っているスプレー缶穴開け器
【手続補正２】
【補正対象書類名】明細書
【補正対象項目名】全文
【補正方法】変更
【補正の内容】
【考案の詳細な説明】
【考案の利用分野】
【０００１】不要になったスプレー缶又は卓上用ガスボンベ等に穴をあけるものである
【背景技術】
【０００２】現在出回っているガス抜き用  器具は穴を開けるだけであり抜くときにガスや液体等が吹き出して自分の体や周辺に飛び散るがこのスプレー缶穴開け器には尖った先端部に溝が有りそこからガスや液体が指定方向に出る仕組みのため人体や周辺を汚すことなく足で踏む為安全性に優れている
【図面の簡単な説明】
【図１】              完成された立体図
【図２】              組立前の部品図
【符号の説明】
１．軸  ２．Ｍ字形本体  ３．ストッパー
４．底板前部  ５．底板後部  ６．軸受け穴
(57)【要約】【課題】  名札を首から下げるための紐を輪にするための継手で、輪の大きさを自由に調節できるようにすると共に、紐に過大な張力が掛かったとき外れて輪を開く安全継手をも兼ねるようにする。【解決手段】  紐の一端に咬着される咬着部とこの咬着部と結合分離可能に弾性的に連結される輪部とで一方の継手を構成し、この継手２個ａ，ｂを用い、図１に示すように一方の継手ａの咬着部に紐の一端を咬着させ、この紐の他端を他方の継手ｂの輪部を通過させ、更に上記一方の継手ａの輪部を通過させて、継手ｂの咬着部に咬着させた。このようにすると紐の両端は任意長さで重なって輪になり、紐の輪の大きさが調節できる。【選択図】        図１
0003110827.tif 000002
【実用新案登録請求の範囲】
【請求項１】
紐端に咬着される咬着部と、この咬着部と結合分離可能に且つ回動可能に弾性的に連結され、紐が摺動自在に通される輪部とよりなる継手２個ａ，ｂよりなり紐の一端を一組の継手の一方ａの咬着部に咬着させ、他端を他方の継手ｂの輪部を通過させて上記一方の継手ａの輪部を通して、他方の継手ｂの咬着部に咬着固定せしめ得るようにした自在継手兼安全継手。
【考案の詳細な説明】
【技術分野】
【０００１】
本考案は紐の長さを調節する自在継手であって、紐に過大な力が作用したときは外れて紐が切れるようにした安全継手を兼ねたものに関する。
【背景技術】
【０００２】
紐を輪にして首に掛け名札等を吊り下げる場合、輪の大きさを調節する必要がある。通常は図３に示すように紐Ｓの輪１０にスライダ１１を取付け、スライダ１１で輪１０の一部をくびれさせるようにしているが、紐Ｓの余った部分が一つの小さな輪Ｒになって、輪１０を首に掛けたときの姿が良くない。
【０００３】
また紐Ｓの輪１０を首に掛けたときは、輪１０が何かに引っ掛かって強い張力が作用することがあり危険であるから、一定以上の張力が紐Ｓに作用したとき紐Ｓが切れて輪１０が開くようにしておくことが望まれる。このため従来から図３に示す安全具のように二つの部品１２，１３を紐Ｓの両端に着け、この部品１２，１３の端面の雌雄部分の弾性的な嵌合で紐Ｓの両端を連結し、紐Ｓを輪１０にすることが行われている。この安全継手は紐Ｓを輪１０にする継手であると共に、過大な張力が作用したときは弾性的嵌合が外れて輪１０を開くのである。
【考案の開示】
【考案が解決しようとする課題】
【０００４】
本考案は紐の輪の大きさを調節できると共に、過大な張力が作用したとき外れて輪を開く安全装置も兼ねた紐継手を提供しようとするものである。
【課題を解決するための手段】
【０００５】
図１に示すように紐Ｓの端に咬着される部分１と紐１０が摺動自在に通過する輪の部分２とよりなる継手一組ａ，ｂよりなり、これらの各継手毎に紐端を咬着する部分１と紐が通過する輪の部分２とを雌雄両部の弾性的嵌合により回動自在に連結した。
【考案の効果】
【０００６】
本考案によるときは、図１に示すように紐Ｓの一端を一組の継手の一方の継手ａの紐Ｓを咬着する部分１に咬着させ、他端を他方の継手ｂの輪部２を通過させて更に一方の継手ａの輪部２を通して他方の継手ｂの紐Ｓを咬着する部分１に咬着固定せしめられる。一組の継手ａ，ｂによって紐Ｓの両端を上述した関係で結合すると、図１のように紐Ｓの両端部が相互に重なった形で紐Ｓの輪１０が出来、紐Ｓの重なり部分の長さが継手ａ，ｂの輪１０の部分の摺動によって加減できるので紐Ｓの輪１０の大きさが連続的に可変となり、各継手ａ，ｂの輪部２と咬着部１との間の弾性的連結部が過大な張力に対して外れることで安全が計られる。且つこの弾性的連結が回動可能であるから、継手ａ，ｂ部分は紐Ｓの輪１０の形に馴染んで紐Ｓの輪１０を首に掛けたとき、違和感が生じない。
【考案を実施するための最良の形態】
【０００７】
本考案は既述のように名札を首に掛ける場合の紐の継手に用いて甚だ有益なものである。
【実施例】
【０００８】
図２（Ａ）に実施例の一つを示す。本考案の安全継手は同じ形の継手ａ，ｂの一対よりなる。各継手ａ，ｂは紐Ｓの両端に取付けられる。各継手ａ，ｂは同形だからａについて説明する。継手ａは紐Ｓの一端を咬着する咬着部１と紐Ｓが摺動自在に通過する輪部２とよりなり、咬着部１と輪部２とが回動可能に弾性的に連結される。咬着部１の紐Ｓを咬着する構造は任意であるが、この例では咬着部１の片面１′が一側辺で主体部と樹脂の薄肉部１″でヒンジ状につながっており、主体部に紐Ｓの一端を置き、片面１′を閉じて自由辺を主体部に係合させることで紐Ｓの一端を挟み込むのである。咬着部１の一方の端面は延長されて、その延長部には幅方向の割溝３が形成されており、更にその割溝３の内面には咬着部１の幅方向に丸棒が通せるような丸溝４が形成してある。
【０００９】
他方、輪部２は紐Ｓが通る輪の意味であるが、この例では紐Ｓの通る扁平な筒になっている。輪部２の両側面には夫々延出部２′が形成され、両延出部２′を断面が丸い桟２″がつないでいる。この桟部２″が咬着部１の割溝３に押し込まれ、割溝３内の丸溝４と嵌合することで、咬着部１と輪部２とが、この桟部２″を軸として回動自在に且つ弾性的に連結され、強い力を作用させると両者１，２を引き離すことが出来るのである。
【００１０】
上述した一対の継手ａ，ｂは次の手順で紐Ｓの両端に取付けられる。まず、継手ａの咬着部１に紐Ｓの一端を咬着し、この紐Ｓの他端を他方の継手ｂの上面を越えて、継手ｂの輪部２を前から後ろへ通過させ、更に継手ａの輪部２を後ろから前へ通過させて継手ａの下側を通って継手ｂの咬着部１に咬着する。このようにすると、紐Ｓの両端部が適宜長さ範囲で重なって図１に示すような形の輪１０になる。
【００１１】
図２（Ｂ）は他の実施例である。図２（Ａ）の各部と対応する部分には同じ符号を付したので、一々の説明は簡略にする。咬着部１は短い扁平な筒１ａとコ字形部材１ｂとよりなり、筒１ａの部分を開いた状態で紐Ｓの一端を置き、コ字形部材１ｂの柱部を巻いて折り返し、紐Ｓの端を二重にして咬着部１の筒１ａを閉じると、紐Ｓは咬着部１から抜けなくなる。前例の輪部２に相当するのはロ字形部材２で、その横桟部２″がコ字形部材１ｂの両脚部と弾性的に結合される。即ちコ字形部材１ｂの両脚部には内側に丸い突起３が設けてあり、輪部２の横桟部２″の張り出した部分の両側に凹み３′が形成されていて、これらの突起３と凹み３′とが弾性的に係合されて弾性的連結Ｅを構成するのである。
【産業上の利用可能性】
【００１２】
前述したように本考案は名札を首に掛ける紐の輪に適用される。販売店とかイベント会場の係員は名札を着ける場合が多いので、本考案は特に商店とかイベント会場で利用して有効である。
【図面の簡単な説明】
【００１３】
【図１】本考案継手の全体を示す概略図である。
【図２】上記継手の実施例の要部を示す図である。
【図３】従来例の正面図である。
【符号の説明】
【００１４】
Ｓ  紐
ａ，ｂ  継手
１  咬着部
２  輪部
３  割溝
４  丸溝
【図１】
0003110827.tif 000003
【図２】
0003110827.tif 000004
【図３】
0003110827.tif 000005
(57)【要約】      （修正有）【課題】靴の外観を損なわないコインポケット付き靴を提供する。【解決手段】靴のアッパーの裏地にコインポケットを付けた靴であって、そのポケットの素材はシリコン素材等の柔らかいゴムや生地を裏地に縫い付けたことを特徴とした。【選択図】図２
0003110887.tif 000002
【実用新案登録請求の範囲】
【請求項１】
靴のアッパーの裏地にコインポケットを付けた靴であって、そのポケットの素材はシリコン素材等の柔らかいゴムや生地を裏地に縫い付けたことを特徴とする靴
【考案の詳細な説明】
【技術分野】
【０００１】本考案は、ブライダル分野で花嫁が結婚式及び披露宴に履く靴に関するものである。
【背景技術】
【０００２】従来は特開平１１−１０３９０６、特開２０００−０５０９０６、実開平０７−０１１９０９がポケット付きシューズを出している。
【考案の開示】
【考案が解決しようとする課題】
【０００３】しかしながら、このようなポケットは靴のアッパー表生地又は履き口の縁にあるので、靴本来の外観が損なわれていた。
【課題を解決するための手段】
【０００４】上記課題を解決するための手段として靴のアッパーの裏地にコインポケットを付けた靴であって、そのポケットの素材はシリコン素材等の柔らかいゴムや生地を裏地に縫い付けたことを特徴とする靴
【考案の効果】
【０００５】以上説明したように、本考案によれば、靴本来のアッパー表生地を変えることなくコインを靴に収納することができる。
【考案を実施するための最良の形態】
【０００６】図面を参照して、本考案を詳細に説明すると、図１及び図２の上部は靴の斜視図であり、下部は靴アッパー裏生地の断面図である。
【図面の簡単な説明】
【０００７】
【図１】上部  本件の一実施例を示す斜視図  下部  本件の一実施例を示す断面図
【図２】上部  本件の一実施例を示す斜視図  下部  本件の一実施例を示す断面図
【符号の説明】
【０００８】アッパー裏生地
アッパー表生地
コイン入れポケット
【図１】
0003110887.tif 000003
【図２】
0003110887.tif 000004
(57)【要約】【課題】  密閉性の高い靴の中は特に高温多湿時において、長時間履く時には特に蒸れを生じやすく悪臭や水虫等に発展してしまうことから衛生的にも健康的にも好ましくなく、靴内部の空気環境を改善させる為、歩行時には新鮮な空気を強制的にしかも連続的に靴内面先端部から吐出させるようにした、シンプルでしかも安価である靴を提供することにある。【解決手段】  本考案は靴内面１に空気入口４と靴内面１の先端部に空気出口６を設け、ヒール３に空気室８とダイヤフラム７を設け空気漏れ無きよう固定し、靴底２に空気導入路５を設けた。【選択図】    図１
0003110882.tif 000002
【実用新案登録請求の範囲】
【請求項１】
靴内面１には少なくとも１ケ以上の空気入口４と、少なくとも１ケ以上の空気出口６を設け、ヒール３には空気室８と、タイヤフラム７と、靴底２には空気導入路５を少なくとも１ケ以上を設けたことを特徴とする靴。
【請求項２】
靴内面１には少なくとも１ケ以上の空気入口４と、少なくとも１ケ以上の空気出口６を設け、ヒール３には空気室８と、逆止弁１０と、スプリング９と、ダイヤフラム７と、中敷下板１３には空気出口６に結合する中敷空気入口１４を少なくとも１ケ以上と、中敷上板１２には中敷空気出口１５を少なくとも１ケ以上設けた中敷１１を取付けたことを特徴とする靴。
【考案の詳細な説明】
【技術分野】
【０００１】  本考案は、革靴やゴム靴安全靴等長時間靴を履いた時に発生しやすい悪臭や水虫を新鮮な空気を強制的に靴の中へ送り込むことによって、それらを防止するようにした靴に関するものである。
【背景技術】
【０００２】  靴内部の通気性を良くするため靴の側面などに穴を設けた物、若しくは網目状の物等が市販されているが、雨降り時には水の侵入もある。
【考案の開示】
【考案が解決しようとする課題】
【０００３】  従来の一般的な靴内部における空気流は極めて悪く、靴の側面に小穴を設けてもそれ程大きな改善は見られず、発汗する汗が悪臭となり最悪時には水虫等に発展する等の欠点があった。従って靴内部に新鮮な空気を強制的に送り込むことによって靴内部に空気流を発生させ前述の欠点を解決しようとするものである。
【課題を解決するための手段】
【０００４】  本考案は上記目的を達成するため、ヒール３には空気室８を設け、復元力を有するダイヤフラム７を設け固定し、空気室８には空気入口４と、靴底２には空気導入路５を設け、靴内面１の先端部に空気出口６を設けて問題点を解決している。
【考案の効果】
【０００５】  本考案は以上説明したように構成しているので以下に記載されるような効果が生じる。【０００６】  本考案の靴を用いることによって、歩行中には１歩毎にダイヤフラム７が圧縮そして復元を繰り返すことからポンピング作用が発生し、強制的かつ連続的に圧縮された新鮮な空気を靴内面１の先端部に設けられた空気出口６から吐出することができ、悪臭や湿度の高くなった空気を靴内部から強制的に排出すると靴内部環境が改善され、靴の中が蒸れる事もなく悪臭や水虫を防止することができる。【０００７】  一方靴が着地する際、ダイヤフラム７が圧縮されると空気室８の圧力が急激に上昇し、その後空気出口６から徐々に空気を吐出させると下降する時のショックも吸収される等の効果が発生する。
【考案を実施するための最良の形態】
【０００８】  部品点数を極力少なくするため空気入口４は靴が着地した時に、かかとが接触するほぼ中心部に設けると、その接触圧で圧縮された空気が逆流するのを防止できるため逆止弁が不要となる。又ダイヤフラム７は復元力を大きくすることでスプリング９は不要となり最良の形態となる。
【実施例】
【０００９】  実施例について図面を参照して説明すると、図１のヒール３に設けられた空気室８と復元力のあるダイヤフラム７によって、歩行時はダイヤフラム７は復元、そして圧縮を繰り返す。ダイヤフラム７が復元するとき空気入口４から新鮮な空気が空気室８に流入し、圧縮するとき新鮮空気は空気室８で圧力が上昇し空気導入路５を通り空気出口６より高圧で吐出させた。【００１０】  特に靴内面１の先端部は空気が停滞しやすいため、特にその先端部に空気出口６を設け集中的に新鮮な空気を高圧でしかも強制的に送り込んだ実施例である。【００１１】  図２はダイヤフラム７の復元力を助けるためスプリング９を設け、更に空気室８の密閉性を高めるため逆支弁１０を設け更に中敷１１を取付けた実施例である。
【図面の簡単な説明】
【００１２】
【図１】  本考案の請求項１の断面図である。
【図２】  本考案の請求項２の断面図である。
【符号の説明】
【００１３】  １  靴内面                １１  中敷
２  靴底                  １２  中敷上板
３  ヒール                １３  中敷下板
４  空気入口              １４  中敷空気入口
５  空気導入路            １５  中敷空気出口
６  空気出口
７  ダイヤフラム
８  空気室
９  スプリング
１０  逆止弁
【図１】
0003110882.tif 000003
【図２】
0003110882.tif 000004
(57)【要約】本考案したるディスク取出し装着器具は、片手で手軽に使用する事が出来る。まず、大きさであるが図面  図１の移動ボタン１の長さは、１５ｃｍ程度で重さは材質によって少し異なるが凡そ１５０ｇから２００ｇ程度である。まず、図１の移動ボタンを手の平で押し下げてディスクケースの中央部のディスク留具を押し下げ、ディスク盤を浮かせる。そして図１の２の吸引ハンドルに指を掛けて図１の３の環状吸引面をディスク盤上面に近づけて左右に有る吸引ポンプ図１の２を引き上げ環状吸引面にディスク盤を吸着させ、所定の移動場所に移動させる事が出来る。このディスク取出し装着器具を使う事によりディスク盤に手を触れる事なく簡単に持ち運びする事が出来る。従来ディスクトレイより手で出し入れする時に、汗がついたりディスク盤を滑らせてキズをつけたりしたものであるが、本考案はそのような欠点を除くために考案したものである。【選択図】    図１
0003110883.tif 000002
【実用新案登録請求の範囲】
【請求項１】
２の吸引ポンプで、３の吸着面にディスク盤を吸着し持ち運びするディスク取出し装着器具
【考案の詳細な説明】
【図面の簡単な説明】第１図は、本考案の正面図第２図は、本考案の底面図１は、移動ボタン。  ２は、吸引ポンプ。  ３は、ディスク吸着面。
【図１】
0003110883.tif 000003
【図２】
0003110883.tif 000004
(57)【要約】【課題】  リモートコントロールが可能なネットワークカメラを用いて、高画質でなおかつ移動可能な無線式カメラスタンド筐体を実現する。【解決手段】  ＮＴＳＣビデオ出力機能を有した、ネットワークカメラに、無線ＬＡＮと映像用アナログトランスミッターを接続し、２段構造を有するアンテナにそれぞれのアンテナ端子を結合する。カメラ、ＬＡＮ、トランスミッターの電源は、ニッケル水素バッテリーパックから分岐して通電する。筐体本体は、ネットワークカメラと一体に見える構造とし、不安定にならないように、台座部分を出来る限り大きく又、重たくする意味でもニッケル水素バッテリーパックをこの部分に装備した。【選択図】図１
0003110889.tif 000002
【実用新案登録請求の範囲】
【請求項１】
（１）台座に円柱を接着したものと、その先端部分にＮＴＳＣビデオ信号の出力端子を装備するネットワークカメラを取り付け、さらにその上方に２段構造のアンテナを配置し、無線ＬＡＮ、映像トランスミッター、バッテリーなどをこの円柱と台座内部に配備し受信装置との組み合わせにより、完全なスタンドアローンの状態で運用できるようにしようとするものである。
【考案の詳細な説明】
【技術分野】
【０００１】  婚礼祝賀会等のイベントで、ビデオ映像などに記録しようとした場合、そのほとんどが、１台のビデオカメラを手で持って動いて撮るのが基本である。テレビ局の中継システムではあたりまであるが、カメラを複数台使い、その画像をスイッチングしてひとつの映像にすると言う考え方はあまり民間では普及していない。このスイッチングされたカメラ映像を工事なしで、自由にレイアウトできるようにするものである。
【背景技術】
【０００２】  テレビ局の中継システムのように複数台のカメラをコントロールして必要な映像を作り出しそうとした場合、カメラの台数分以上の人数が必要になる。【０００３】  これらの映像信号をスイッチングするために１箇所に集めてくるには複雑な配線が必要になる。【０００４】  カメラを壁や天井などに一度セットして工事をしてしまうと、自由なアレンジが出来なくなる。【０００５】  ビデオ撮影が不要な時でも、壁や天井にカメラが存在することから、来客に対して誰かから見張られているような威圧感を与えてしまう。
【考案の開示】
【考案が解決しようとする課題】
【０００６】  リモートコントロールが可能なネットワークカメラを用いて、高画質な無線式カメラスタンド筐体を実現する。
【課題を解決するための手段】
【０００７】  ネットワークカメラをコントロールするのは、ＬＡＮ信号で行うので、先ずこのＬＡＮ信号の無線化を行う。【０００８】  次にアナログＮＴＳＣビデオ信号を映像用トランスミッターにより無線化を図る。【０００９】  ネットワークカメラ、無線ＬＡＮ、映像用トランスミッターの電源には、ニッケル水素リチャージブルバッテリーパックを使用する。【００１０】  無線ＬＡＮの周波数帯が、１，２ＧＨｚを使用し、映像用トランスミッターの周波数帯は、１，２ＧＨｚ及び２，４ＧＨｚ帯を使用することから、お互いに干渉を起こしやすい。【００１１】  これを出来るだけ回避するために、それぞれのアンテナを平行に配置せずに、縦に配列することにより、狭い範囲に設置しなくてはならない場合には、その条件下で最小限の干渉に抑えることが出来る。【００１２】  どこにも固定せず、配置することから、倒れづらくするために、台座を出来るだけ大きくすることと、重心を下方に持ってゆくためにニッケル水素リチャージブルバッテリーパックを台座のすぐ上に配置し、少しでも重量を下方に持ってくることにより安定を図る。【００１３】  ネットワークカメラの形状と色に合わせることにより、自然で目立たないスタンド筐体を構成する。
【考案の効果】
【００１４】  ビデオ撮影の場合、一般的にはビデオカメラを手にして被写体を追っていたが、本考案の場合、あくまでもカメラは固定された状態でカメラ自体をコントロールしスイッチングすると言う絵作り（編集）になるため、映像も安定しておりあたかもテレビ局の放送を見ているかのような効果的な映像が生まれる。【００１５】  無線システムを採用することにより、配線が不要になり、結果大掛かりな工事が不要になり導入コストが低く抑えられる。【００１６】  自立式筐体であるため、配置アレンジが自由に出来る。【００１７】  ネットワークカメラとの一体構造により、より目立たなくなり、カメラで撮られているという意識や防犯カメラのような威圧感が無い。
【考案を実施するための最良の形態】
【００１８】  無線システムを使用することから、障害物が多い場合やスタンドアローン型ワイヤレスネットワークカメラ筐体と受信システムの距離が遠すぎる場合には適しておらず、婚礼祝賀会等のイベントの会場レベルでの使用が効果的である。
【実施例】
【００１９】  婚礼祝賀会等のイベント会場において、新しい手法によるビデオ映像の記録を残そうとした場合に、本考案が最大限に威力を発揮する。【００２０】  本考案は全てが一体化されているので目立たない為、室内における防犯ビデオの長時間録画にも使用が可能である。
【産業上の利用可能性】
【図面の簡単な説明】
【００２１】  以下、本考案の実施の形態を図１〜図２に基づいて説明する。【図１】  「スタンドアローン型ワイヤレスネットワークカメラ筐体の前面を示した平面図である」
【図２】  「スタンドアローン型ワイヤレスネットワークカメラ筐体の背面を示した平面図である。」
【符号の説明】
【００２２】    １．２段式アンテナ
２．ＮＴＳＣ付きネットワークカメラ
３．スタンド筐体
４．バッテリー収納部
５．台座
６．排熱用ファン
７．無線ＬＡＮ，ＮＴＳＣトランスミッター収納部
８．バッテリーパック収納口
９．メイン電源スイッチ
【図１】
0003110889.tif 000003
【図２】
0003110889.tif 000004
【手続補正書】
【提出日】平成17年3月10日(2005.3.10)
【手続補正１】
【補正対象書類名】実用新案登録請求の範囲
【補正対象項目名】全文
【補正方法】変更
【補正の内容】
【実用新案登録請求の範囲】
【請求項１】
台座に円柱を接着したものと、その先端部分にＮＴＳＣビデオ信号の出力端子を装備するネットワークカメラを取り付け、さらにその上方に２段構造のアンテナを配置し、無線ＬＡＮ、映像トランスミッター、バッテリーなどをこの円柱と台座内部に配備し受信装置との組み合わせにより、完全なスタンドアローンの状態で運用できるようにたスタンドアローン型ワイヤレスネットワークカメラ筐体。
(57)【要約】【課題】  仮設足場の構築時に、隣りあう建枠の向きが異なる場合に於いても交さ筋かいでもって連結することができる仮設足場用の建枠を提供する。【解決手段】  仮設足場用の建枠１に於いて、脚柱Ａの側面上部の前後左右に交さ筋かいピン２・３・４・５を備えて、脚柱Ｂの側面上部の前後左右に交さ筋かいピン６・７・８・９を備えて、脚柱Ａの側面下部の前後左右に交さ筋かいピン１０・１１・１２・１３を備えて、脚柱Ｂの側面下部の前後左右に交さ筋かいピン１４・１５・１６・１７を備えて成すことを特徴とすることで、仮設足場の構築時に隣りあう建枠の向きが異なる場合に於いても交さ筋かいでもって連結することができるようにした。【選択図】図１
0003110881.tif 000002
【実用新案登録請求の範囲】
【請求項１】
建枠１に於いて、脚柱Ａの側面上部の前後左右に交さ筋かいピン２・３・４・５を備えて、脚柱Ｂの側面上部の前後左右に交さ筋かいピン６・７・８・９を備えて、脚柱Ａの側面下部の前後左右に交さ筋かいピン１０・１１・１２・１３を備えて、脚柱Ｂの側面下部の前後左右に交さ筋かいピン１４・１５・１６・１７を備えて成る特徴を有する仮設足場用の建枠。
【考案の詳細な説明】
【技術分野】
【０００１】  本考案は、仮設足場用の建枠に関するものである。
【背景技術】
【０００２】  一般に、各種建設作業用の仮設足場は、交さ筋かいピンを備えた所要数の建枠を交さ筋かいでもって連結すると共に、根がらみを取り付け、隣りあう建枠間に床付き布枠を仮設せしめつつ連結ピンを介して順次上方向に連結し、所要の個所に階段や手摺など所要の足場部材を取り付けて構築するものである。
【考案の開示】
【考案が解決しようとする課題】
【０００３】  しかしながら、従来の仮設足場用の建枠の多くは、上方向あるいは長手方向に沿って順次連結することを想定したものであり、建枠に備わる交さ筋かいピンの向きが一定であることから、異なる向きで隣りあう建枠を連結する際には、それぞれの建枠に備わる交さ筋かいピンの向きが合致しないため交さ筋かいが利用できず、別途、連結金具や足場パイプ等を用いなければならないものであって、作業効率の面に於いて問題点を有していた。【０００４】この考案は、従来の問題点を解決し、仮設足場の構築時に隣りあう建枠の向きが異なる場合に於いても交さ筋かいでもって連結することができる建枠を提供しようとするものである。
【課題を解決するための手段】
【０００５】  本考案は、仮設足場用の建枠１に於いて、脚柱Ａの側面上部の前後左右に交さ筋かいピン２・３・４・５を備えて、脚柱Ｂの側面上部の前後左右に交さ筋かいピン６・７・８・９を備えて、脚柱Ａの側面下部の前後左右に交さ筋かいピン１０・１１・１２・１３を備えて、脚柱Ｂの側面下部の前後左右に交さ筋かいピン１４・１５・１６・１７を備えて成すことを特徴とした。
【考案の効果】
【０００６】  本考案によれば、仮設足場の構築時に隣りあう建枠の向きが異なる場合に於いても、それぞれの建枠に備わる所要の交さ筋かいピンの向きが合致することにより、建枠どうしを交さ筋かいでもって連結することができるようになり、別途の連結金具や足場パイプ等を必要とする個所が減少することが期待され作業効率をさらに向上させることができる。
【考案を実施するための最良の形態】
【０００７】  以下、本考案の実施の形態について、図面を参照して説明する。
図１・図２・図３に示すように、仮設足場用の建枠１に於いて、脚柱Ａの側面上部の前後左右に交さ筋かいピン２・３・４・５を備えて、脚柱Ｂの側面上部の前後左右に交さ筋かいピン６・７・８・９を備えて、脚柱Ａの側面下部の前後左右に交さ筋かいピン１０・１１・１２・１３を備えて、脚柱Ｂの側面下部の前後左右に交さ筋かいピン１４・１５・１６・１７を備えて成すことを特徴とした。
【図面の簡単な説明】
【０００８】
【図１】  本考案にかかる建枠の正面図である。
【図２】  本考案にかかる建枠の平面図である。
【図３】  本考案にかかる建枠の低面図である。
【符号の説明】
【０００９】    １                      建枠
２・３・４・５          交さ筋かいピン
６・７・８・９          交さ筋かいピン
１０・１１・１２・１３  交さ筋かいピン
１４・１５・１６・１７  交さ筋かいピン
Ａ                      脚柱
Ｂ                      脚柱
【図１】
0003110881.tif 000003
【図２】
0003110881.tif 000004
【図３】
0003110881.tif 000005
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
左右一対の脚柱Ａ，Ｂ及び交さ筋かいピンを有する建枠において、それぞれの脚柱Ａ，Ｂの側面上部に４本の交さ筋かいピンを前後左右に突出するように設け、さらに該脚柱Ａ，Ｂそれぞれの側面下部に４本の交さ筋かいピンを前後左右に突出するように備えたことを特徴とする仮設足場用の建枠。
(57)【要約】      （修正有）【課題】容易に指が一方の露出したシートに掛かり左右に開くことができる。したがって、ゴム手袋を装着していても、老眼者・目の不自由な者も、容易に反復開封することが出来るチャックシールと封緘シールを備えた包装袋の易開封機能を備えた包装袋を提供する。【解決手段】封緘シール引き裂き後に露出する表裏２枚のシートの一方の内面に第三のシートを溶着し表裏２枚のシートの間に間隙を保つこととした。【選択図】図３
0003110895.tif 000002
【実用新案登録請求の範囲】
【請求項１】
合成樹脂製のシートで製作され、チャックシールと封緘シールを備えた包装袋において、封緘シール部を引き裂いた時に露出するチャック開口部の表裏２枚のシートの一方の内面にテープを熱溶着させ２枚のシートの間に間隙を保持し、チャックシールを反復容易に開けられる機能を備える包装袋。
【考案の詳細な説明】
【技術分野】
【０００１】食品や調味料などを包装する合成樹脂製シートで作られる、反復開封可能なチャックと封緘シールとを備えた包装袋の取出口の易開封機能
【背景技術】
【０００２】食品や調味料を少量ずつ取出して反復使用できるチャックシール２と封緘シール３を備えた包装袋１が多用されている。その袋の構造は表裏２枚のシート４，５の内面にチャックテープ６，７が溶着されており、最上部には封緘シール３が設けてある。そして、チャックシール２と封緘シール３の中間の端に封緘シール３を引き裂く案内の切欠き部８があり、切欠き部８を始点として封緘シールを指で引き裂き、露出したシート４，５を左右に開きその力でチャックシール２を開け内容物を取り出す。シート４，５は同じ材質、同じ厚さで製作されており、互いに密着し取出口の露出したシート４，５は同じ高さである。
【考案の開示】
【考案が解決しようとする課題】
【０００３】封緘シール３を引き裂き後、指でシート４，５を左右反対方向に開き、チャックを開封しようとする時、露出したシート４，５は同じ高さで密着しており左右に開くことに困難を伴う。特にゴム手袋を装着し微妙な指の感覚を使えない場合、老眼者・眼の不自由な者は顕著となる。原因は表裏２枚のシート４，５が「図２」に示すように同じ材質、同じ高さであり、互いに密着しているため、離れ難く見分け難いためである。
【課題を解決するための手段】
【０００４】指で表裏２枚のシート４，５を左右反対方向に開き易くするために、封緘シール３引き裂き後に露出するシート４，５の一方の内面にテープ７’を熱溶着しシート４，５との間に間隙Ｄを保つことにより、左右に開き易くする。
【考案の効果】
【０００５】  シート４，５の間に間隙Ｄを設けることによって容易に指が一方の露出したシートに掛かり左右に開くことができる。したがって、ゴム手袋を装着していても、老眼者・目の不自由な者も、容易に反復開封することが出来る。
【考案を実施するための最良の形態】
【０００６】「図３」に示すように、テープ７’は、チャックテープ６，７の一方の上部の幅を延長する方法が、製作工程上経済的である。更に最上部に方形９、三角形１０、半円形１１などの突起を持たせることにより、より間隙Ｄが増し効果的となる。
【実施例】
【０００７】製造方法は従来のチャックシール２と封緘シール３を備えた包装袋と全く同様で、従来のチャックテープ６，７の一方を上端に向けて幅を広げたテープ７’を、シート４，５の一方に熱溶着する。また、その上端部に方形９、三角形１０、半円形１１の突起を形成すればより効果的である。
【図面の簡単な説明】
【０００８】
【図１】従来の包装袋の正面図である。
【図２】図１におけるＡ−Ａ線の断面図
【図３】本考案の実施例を示すＡ−Ａ線の断面図
【符号の説明】
【０００９】  １  包装袋
２  チャック
３  封緘シール
４，５  シート
６，７  チャックテープ
７’テープ
８  切欠き部
９  方形突起
１０  三角形突起
１１  半円形突起
Ｄ  間隙
Ｌ  引き裂き線
【図１】
0003110895.tif 000003
【図２】
0003110895.tif 000004
【図３】
0003110895.tif 000005
(57)【要約】      （修正有）【課題】タイロッドエンドにスプライン形状の穴及びそれらを固定するピンを設けることで容易に角度を調整できる。【解決手段】タイロッドエンド本体１００の車両側固着具２及びボールジョイント４にスプライン形状穴を設け、そのスプライン形状穴に角度調整ピン６を挿しロックナット８を締め固定する。ボールジョイント４及び車両側固着具２にスプライン形状穴が設けてあるためスプライン形状穴に角度調整ピン６が通る範囲であれば角度調整が可能となり、車両の地上高の変更によるボールジョイント部の角度変更を容易且つ確実に固定ができる。【選択図】図１
0003110894.tif 000002
【実用新案登録請求の範囲】
【請求項１】
タイロッド本体にボールジョイント部の角度を調整する機構を備えたことを特徴とする角度調整式タイロッドエンド。
【考案の詳細な説明】
【技術分野】
【０００１】本考案は、自動車の操舵装置におけるタイロッドエンド部に角度調整機構を設けたものに関するものである。
【背景技術】
【０００２】自動車競技において、車両の地上高を低くした場合にタイロッドエンドに負担がかかり折れるなどで交換を余儀なくされていた。
【考案の開示】
【考案が解決しようとする課題】
【０００３】あらかじめ角度をきめて製作すると種類を多く持たないといけない経済的負担も大きく、また走行条件によって車両の地上高を変更した場合にタイロッドエンドを交換しなくてはいけないので時間的、労働的負担である。従って、タイロッドエンドに角度調整機構をつけることにより１車両に１セットのタイロッドエンドであらゆる地上高に於いても容易に対応でき、前述の欠点を解決しようとするものである。
【課題を解決するための手段】
【０００４】本考案は、タイロッドエンド本体をボールジョイント部と固着部とをスプライン形状のピンを使用することで角度を自在に調整することが可能となり、緩む事無く固定できることにより問題を解決している。
【考案の効果】
【０００５】上述のように、本考案の角度調整式タイロッドエンドはタイロッドボールジョイント部及び固着部を分割しそれぞれにスプライン形状のピンにより接合される機構を設けたので、車両の地上高の変更によるボールジョイント部の角度変更を容易且つ確実に固定ができる。
【考案を実施するための最良の形態】
【０００６】タイロッドエンドのボールジョイント部及び固着部それぞれにスプライン形状の穴を持たせ、互いの穴を合わせその重なった穴に同一スプライン形状のピンを差込むことで角度が固定される。スプライン形状なので片方の穴をずらすことにより調整可能となる。
【実施例】
【０００７】以下、添付図面に従って一実施例を説明する。自動車の操舵装置におけるタイロッドエンド本体１００はボールジョイント４と車両側固着具２とを角度調整ピン６及ロックナット８により接続し固着する。ボールジョイント４と車両側固着具２にはスプライン形状穴１０が設けられており、角度調整ピン６を挿入することにより角度が固定される。【０００８】このとき、車両の地上高により、スプライン溝の位置を変更することでそのときの地上高に合わせた角度ａに設定することができる。（図３参照）
【産業上の利用可能性】
【図面の簡単な説明】
【図１】本考案の角度調整式タイロッドエンドの実施例を示す上面図及び側面図である。
【図２】本考案の角度調整式タイロッドエンドのスプライン形状穴を説明する説明図である。
【図３】本考案の角度調整の一例を示す説明図である。
【符号の説明】
【０００９】２  車両側固着具
４  ボールジョイント
６  角度調整ピン
８  ロックナット
１０  スプライン形状穴
１００  タイロッド本体
【図１】
0003110894.tif 000003
【図２】
0003110894.tif 000004
【図３】
0003110894.tif 000005
(57)【要約】      （修正有）【課題】中、近距離で確実に犯人に命中させる為、より遠くまで棒状に塗料を噴射させる事が出来る噴射ノズルを設けた塗料噴射装置を提供する。【解決手段】塗料を加圧貯蔵するタンク、噴射操作バルブ、噴射ノズルを設けるとともに、中、近距離で確実に犯人に命中させる為、より遠くまで棒状に塗料を噴射させるノズルを設けた事を特徴とする。【選択図】図１
0003110897.tif 000002
【実用新案登録請求の範囲】
【請求項１】
防犯用の為に常備し、非常時、手に取って強盗犯人等に対し塗料を噴射、付着させる防犯用塗料噴射装置において、塗料を加圧貯蔵するタンク、噴射操作バルブ、噴射ノズルを設けるとともに、中、近距離で確実に犯人に命中させる為、より遠くまで棒状に塗料を噴射させるノズルを設けた事を特徴とする防犯用塗料噴射装置
【考案の詳細な説明】
【技術分野】
【０００１】  本考案は金融機関、コンビニエンスストアー、各種事業所等で多発する強盗事件等の事件件数の低減、及び犯人逮捕の一助とする防犯用塗料噴射装置に関するものである。
【背景技術】
【０００２】  現状、金融機関、コンビニエンスストアー、各種事業所等で多発する強盗事件等の防犯対策としては、常備した塗料入りのカラーボールを犯人に投げつけて使用するのが一般的で有る。
【考案の開示】
【考案が解決しようとする課題】
【０００３】  強盗事件発生等の緊急時、緊迫した状況の中で、逃走する強盗犯等に、このカラーボールを確実に命中させるのは至難の業である。
【課題を解決する為の手段】
【０００４】  中、近距離で確実に犯人に命中させる為、より遠くまで棒状に塗料を噴射させる事が出来る噴射ノズルを設けた塗料噴射装置を提供する。
【考案の効果】
【０００５】  本考案はカラーボールの命中困難という欠点を大幅に改善した防犯用塗料噴射装置で、本考案装置を使用することにより至近距離から、数メートル離れた中距離範囲内で、誰でも簡単に、確実にねらいをつけ塗料を噴射し続ける事が可能であり、至近距離では、犯人を威嚇、撃退する効果があり、逃げる中距離範囲の犯人に対しては、ねらい打ちして噴射する事により犯人の体のより広範囲に塗料を付着させる事が可能である。
さらに複数の犯人に対しても１本の防犯用塗料噴射装置を連続噴射する事で対応可能である。
これを常備し、使用する事により、誰でも簡単に、確実に犯人に塗料を付着させる事が可能になり、強盗犯人の検挙率の大幅な改善と共に、強盗犯人に対する強力な威嚇効果が期待出来、多発する強盗事件の抑止効果をも図る事が出来る。
【考案を実施するための最良の形態】
【０００６】  本考案を図面に基づいて説明すると、本考案装置は（１）噴射装置加圧タンク本体、（２）噴射操作バルブ部、（３）噴射ノズル部（４）蓋より構成されており、その構成は一般的な塗装用のカラースプレー装置と同様であるが、唯一、本考案の防犯用塗料噴射装置がこれら一般的なカラースプレー装置と異なる所は、塗装用が（３）噴射ノズル部分が塗装用として広く近くに霧状に塗料を噴霧する様に製作されているのに対して、本考案の防犯用塗料噴射装置の（３）噴射ノズルは、防犯用に使用する為に塗料をより遠くまで棒状に、噴射させる事が出来る様に製作されている所である。
【実施例】
【０００７】  尚、防犯用塗料噴射装置には、（イ）ハンドタイプの小型の物（ロ）消火器状の大型形状の物（ハ）塗料の他有臭気液、催涙液を噴射する物等が考えられる。
【産業上の利用可能性】
【０００８】  本考案の防犯用塗料噴射装置は、銀行、郵便局等の金融機関、コンビニエンスストアー丈でなく一般事業所等に於いても、強盗事件等に備えて常備しておく事で、いつでも、誰でも手軽に使用する事が出来る。
【図面の簡単な説明】
【０００９】
【図１】  図面は本考案の防犯用塗料噴射装置の蓋を外した状態の側面図である
【符号の説明】
【００１０】１    噴射装置加圧タンク本体
２    噴射バルブ部
３    噴射ノズル
４    蓋
Ｔ    噴射塗料
【図１】
0003110897.tif 000003
(57)【要約】      （修正有）【課題】片手で簡単に細部まで毛並みの手入れが出来又小動物の毛並み手入れも出来るようにする。【解決手段】手袋１にブラシ２，３を付けているので撫でながら簡単に毛並みの手入れが出来る。【選択図】図１
0003110899.tif 000002
【実用新案登録請求の範囲】
【請求項１】
手袋の指先及び手のひらにブラシを付けペット用毛並み手入れようブラシ
【考案の詳細な説明】
【考案の詳細な説明】
【考案が解決しようとする課題】
【０００１】従来のペットブラシは手に持って使用のため細部の毛並み手入れをする時は大小多数のブラシを使用する
【課題を解決するための手段】
【０００２】手袋の指先及び手のひらにブラシを付ける
【考案の効果】
【０００３】手袋の指先及び手のひらにブラシを付けたことによりペットを片手で撫でるだけで毛並み手入れが簡単に出来又細部の毛並み手入れ及び小動物の毛並みも指を動かすだけで簡単に出来る
【図面の簡単な説明】
【０００４】
【図１】製品・上面図
【符号の説明】
１  手袋
２  指先のブラシ
３  手のひらのブラシ
【図２】
製品・正面図
【符号の説明】
１  手袋
２  手のひらのブラシ
【図１】
0003110899.tif 000003
【図２】
0003110899.tif 000004
(57)【要約】      （修正有）【課題】室内で犬などのペットを飼育するにあたり、ペットの発する泣声の拡散を防止し、ペット自体が記憶、学習して入り易いようにし、また、組み立て式として、室内のスペースを有効に利用するようにした学習型防音用ペットルームを得ることを目的とする。【解決手段】防音パネルＡ〜Ｅからなる箱型で、天井部と側壁面に、出入口ｍを設けたことを特徴とする学習型防音用ペットルーム、および側壁面の出入口に、防音布を吊り下げたことを特徴とする学習型防音用ペットルームとする。【選択図】図２
0003110892.tif 000002
【実用新案登録請求の範囲】
【請求項１】
防音パネルからなる箱型で、天井部と側壁面に、出入口を設けたことを特徴とする学習型防音用ペットルーム。
【請求項２】
側壁面の出入口に、防音布を吊り下げたことを特徴とする請求項１記載の学習型防音用ペットルーム。
【考案の詳細な説明】
【技術分野】
【０００１】  この考案は、屋内で飼犬などペットの飼育に用いるペット小屋となる学習型防音用ペットルームに関するものである。
【背景技術】
【０００２】  家屋やマンションなどの室内で、小型犬などを飼育することは、最近とくに一般的となっており、そのため夜間や家人の留守時に、その泣き声が近隣や隣室に響いて、住環境上の苦情などをもたらすことが問題となっている。しかし室内に防音効果のあるペット小屋を設けるについては、小型のものでは犬が中に入ることを嫌がって拒んだり、大きなものでは室内のスペースから設置に無理があるという課題がある。
【考案の開示】
【考案が解決しようとする課題】
【０００３】  この考案は、室内で犬などのペットを飼育するにあたり、ペットの発する泣声の拡散を防止し、ペット自体が記憶、学習して入り易いようにし、また、組み立て式として、室内のスペースを有効に利用するようにした学習型防音用ペットルームを得ることを目的とする。
【課題を解決するための手段】
【０００４】  防音パネルからなる箱型で、天井部と側壁面に、出入口を設けたことを特徴とする学習型防音用ペットルーム、側壁面の出入口に、防音布を吊り下げたことを特徴とする前記記載の学習型防音用ペットルームの構成とする。
【考案の効果】
【０００５】  この考案の学習型防音ペットルームは、室内で犬などのペットを飼育するにあたり、ペットの発する泣声の拡散を防止するように防音型とし、当初は前面の出入口を閉めて、その都度、飼主が天井部のハッチ状の蓋を開けペットを出し入れできるようにし、ペットが居所として充分慣れ、それ自体の居所として記憶学習し、拒否感が無くなった時機において、前面の出入口を開け、ペット自体に自由に出入りさせるようにした構成により、安心して室内でペットを飼育することができる。そしてまた組み立て式とし、二ケ所に出入り口があることにより、清掃にも便利な、室内で使い易いペットルームとなる。
【考案を実施するための最良の形態】
【０００６】  防音パネルからなる箱型で、天井部と側壁面に、出入口を設け、側壁面の出入口に、防音布を吊り下げたことを特徴とする学習型防音用ペットルーム。
【実施例１】
【０００７】  図１に示すように防音性のペット小屋（Ｐ）は、木枠に板を張り、その両面に防音布を貼り付けた防音パネルを組み立てて全体を構成する。すなわち防音パネル（Ａ），（Ｂ），（Ｃ），（Ｄ）を箱状にねじ付きボルト（ｒ１），（ｒ２），（ｒ３），（ｒ４）によって接続して組み立て、その天井部に防音パネル（Ｅ）を、ねじ付きボルト（ｒ５），（ｒ６），（ｒ７），（ｒ８）によって取り付け組み立てる。防音パネル（Ａ）には、犬などペットの出入口（ｍ）に、防音布によるのれん（ａ）が吊り下げられた状態で取り付けられている。さらにのれん（ａ）の外側には開き戸（ｎ）が取り付けられており、図示しない止め金具によって戸閉めができるようにする。防音パネル（Ｄ）には窓（ｄ）が設けられており、内部が見えるようにガラスまたはプラスチックがはめ込まれている。天井部の防音パネル（Ｅ）には、ハッチ状の蓋（ｅ）が取り付けられており、容易にペットの出し入れができるようになっている。この他、図１、図２に示すように適宜、換気扇（ｆ）などを設けてもよい。【０００８】  この防音ペット小屋（Ｐ）を使用するに当たっては、当初は前面の出入口（ｍ）は閉めておき、１０日間から１ケ月の間、飼主が天井部のハッチ状の蓋（ｅ）を開けてペットを出し入れし、ペットがこの防音ペット小屋（Ｐ）を自分の居所として記憶学習した時機において、前面の出入口（ｍ）を開け、ペット自体に自由に出入りさせるようにする。
【産業上の利用可能性】
【０００９】  この考案の学習型防音ペットルームは、室内で犬などのペットを飼育するにあたり、ペットの発する泣声の拡散を防止するように防音型とし、ペット自体が記憶、学習して入り易いように、当初は前面の出入口を閉めておき、飼主が天井部のハッチ状の蓋を開けてペットを出し入れできるようにし、ペットが居所として記憶学習した時機において、前面の出入口を開け、ペット自体に自由に出入りさせるようにした構成により、飼主は安心して室内でペットを飼育することができる。また、組み立て式として、各種の寸法のものを用意することにより、室内のスペースを有効に利用し、清掃にも配慮した使い易いペットルームとなる。
【図面の簡単な説明】
【００１０】
【図１】この考案の学習型防音ペットルームの組み立て前の状態を示す斜視図。
【図２】この考案の学習型防音ペットルームの組み立て後の状態を示す斜視図。
【符号の説明】
【００１１】（Ｐ）  防音ペット小屋
（Ａ）〜（Ｅ）  防音パネル
（ｒ１）〜（ｒ８）  ねじ付きボルト
（ａ）  のれん
（ｍ）  出入り口
（ｎ）  開き戸
（ｄ）  窓
（ｅ）  蓋
【図１】
0003110892.tif 000003
【図２】
0003110892.tif 000004
(57)【要約】      （修正有）【課題】日本国内で開催される競馬競争時に騎手が着用する勝負服をモデルとしたレプリカシャツを、多様な体型の競馬ファンが着用できるようにし、提供する。【解決手段】デザインは日本国内で開催される競馬競争時に騎手が着用する勝負服と同様でありながら、袖周り１、身巾３を実際に騎手が実戦で着用しているものよりも大きめにし、襟にファスナー２を取り付けることで、大柄な体型の人でも脱着を容易にした。また、裾４を横一直線に裁断したデザインにすることで、サッカーのユニフォームを着るサポーターのように、洋服の上に着用する場合のファッション性を高め、特に若年層の競馬ファンに馴染みやすくした。【選択図】図１
0003110893.tif 000002
【実用新案登録請求の範囲】
【請求項１】
日本国内で開催される競馬競争時に騎手が着用する勝負服のデザインに類似した、標準的な体型の人でも着用することができるようサイズ対応させたレプリカシャツ。
【考案の詳細な説明】
【技術分野】
【０００１】本考案は、競馬ファンが自分の好きな競走馬やその所有者である馬主に関する記念品として着用したり、展示したりするためのシャツである。
【背景技術】
【０００２】従来の勝負服をモデルとしたレプリカシャツは、騎手が着用するものと同じ生地、同じサイズに限られていた。
【考案の開示】
【考案が解決しようとする課題】
【０００３】しかし、これでは、元来細身体型である騎手に合わせた服のサイズであるため標準的な体型や大柄な体型の人では着用が困難である。また、元々が激しい競馬競争時の着用を目的として作られているため、服の素材は上質で、単に競走馬やその馬主等を応援するために着用したいと考えている競馬ファンにとって必要以上に高価なものとなっていた。また、販売基準はＧＩ（グレード・ワン）競争を優勝した競走馬のものに限られていた。
【課題を解決するための手段】
【０００４】本考案は従来の問題点を解決するもので、シャツの生地素材にはポリエステルのような丈夫で安価なものを利用し、サイズも豊富に対応する。また、サッカーを応援するサポーターのように、ファッションとしての価値を高めるため裾を横一直線に裁断し、日常的に着用しやすくした。さらに制作販売基準をＧＩ競争の優勝競走馬やその馬主のものに限定せず、競走馬またはその馬主の勝負服の人気を基準とする。また、シャツの胸、裾、背中、腕などの部分に競走馬や馬主の名を入れることで、競馬ファンにとって記念の品とする。
【考案の効果】
【０００５】よって、本考案の騎手が着用する勝負服をモデルとしたレプリカシャツにより、多くの競馬ファンが望んでいるデザインのレプリカシャツを入手しやすくなり、ファンの要望に応えることができる。
【考案を実施するための最良の形態】
【０００６】本考案に係る騎手が着用する勝負服をモデルとしたレプリカシャツ１０は、騎手が実際に着用する本物と同様のデザインでありながら、生地にはポリエステル等を代表とした安価な素材を使用し、袖周り１、身巾３を実際に騎手が競馬競争時に着用している勝負服よりも大きめにし、襟にファスナー２を取り付けることで、大柄な体型の人でも脱着を容易にした。また、裾４を横一直線に裁断したデザインにすることで、サッカーのユニフォームを着るサポーターのように、洋服の上に着用する場合のファッション性を高め、特に若年層の競馬ファンに馴染みやすくした。
【図面の簡単な説明】
【０００７】
【図１】本考案に係る騎手が着用する勝負服をモデルとしたレプリカシャツを広げた状態の平面図である。
【符号の説明】
【０００８】  １    袖周り
２    ファスナー
３    身巾
４    裾
１０    騎手が着用する勝負服をモデルとしたレプリカシャツ
【図１】
0003110893.tif 000003